(57)【要約】【課題】紐の操作でスクリーンが上下に開閉するカーテンにおいて、スクリーンに立体的な模様を形成、維持した立体感を持たせて維持可能なカーテンを提供する。【解決手段】背面に列状に点在する複数のガイドを固定し下部に重しを備えたスクリーンと、スクリーンの上端を固定した巻き取り装置と、ガイドに挿通し一端がスクリーンの下部に固定され他端が巻き取り装置に接続され巻き取り装置の巻き上げ機構によって巻き上げ或いは巻き出される伸縮紐とを備えたスクリーンが上下に開閉するカーテンであって、伸縮紐に併設して一端がスクリーンの下部に固定され他端がスクリーンの上部に固定された吊し紐と、伸縮紐を挿通しガイドの下部にあってガイドを支持する位置で吊し紐に連設する係止部材を備え、係止部材がガイドを引き上げることでスクリーンに起伏を形成し、スクリーンに立体感を付与することを特徴とするカーテンの構成とした。【選択図】図１
0003167692.tif 000002
【実用新案登録請求の範囲】
【請求項１】
背面に列状に点在する複数のガイドを固定するとともに下部に重しを備えたスクリーンと、前記スクリーンの上端を固定した巻き取り装置と、前記ガイドに挿通するとともに一端が前記スクリーンの下部に固定され他端が前記巻き取り装置に接続され前記巻き取り装置の巻き上げ機構によって巻き上げ或いは巻き出される伸縮紐とを備え、前記スクリーンが上下に開閉するカーテンであって、
前記伸縮紐に併設して、一端が前記スクリーンの下部に固定されるとともに他端が前記スクリーンの上部に固定された吊し紐と、前記伸縮紐を挿通するとともに前記ガイドの下部にあって前記ガイドを支持する位置で前記吊し紐に連設する係止部材を備え、
前記係止部材が前記ガイドを引き上げることで、前記スクリーンに起伏を形成し、前記スクリーンに立体感を付与することを特徴とする立体感を持たせて維持可能なカーテン。
【請求項２】
縦方向に列を形成するガイドの横方向の列のガイドの位置が、前記スクリーンの上端から同距離であることを特徴とする請求項１に記載の立体感を持たせて維持可能なカーテン。
【請求項３】
前記ガイド及び係止部材が輪状で、前記係止部材の外径が前記ガイドの内径よりも大きいことを特徴とする請求項１又は請求項２に記載の立体感を持たせて維持可能なカーテン。
【考案の詳細な説明】
【技術分野】
【０００１】
本考案は、紐の操作でスクリーンが上下に開閉するカーテンにおいて、スクリーンに立体的な模様を形成、維持した立体感を持たせて維持可能なカーテンに関する。
【背景技術】
【０００２】
カーテンには、スクリーンを左右にスライドさせて開閉するもの、紐を操作して上下に開閉或いはスクロールするものがある。その多くは、編み方及び編み糸によって、或いはプリントして平面的な模様を形成したもので、立体的な模様を形成したものは少ない。
【０００３】
例えば、立体感を付与したカーテンとして、特許文献１に記載の「立体装飾付与可能なカーテン装置」が公開されている。立体装飾付与可能なカーテン装置は、操作紐の操作によって、カーテン面に多様な立体的装飾を容易に付与するため、カーテン３の背面側に、所要間隔をおいて紐通し９を設け、該紐通し９の複数に操作紐１０を挿通させ、この操作紐１０の、全ての紐通し９に通った部分の長さを短くすることによって、隣り合う紐通し相互を接近可能とし、この接近により、ひだ状部２９の重なりからなる立体的装飾３０を形成するととともに、保持手段１２によりこの装飾状態を保持させるいうものである。
【先行技術文献】
【特許文献】
【０００４】
【特許文献１】実用新案登録第３０４１７３８号公報
【考案の概要】
【考案が解決しようとする課題】
【０００５】
しかしながら、特許文献１に記載のカーテンは、左右にスライドして開閉するカーテンであって、紐の操作により上下に開閉するカーテンではない。紐の操作で上下にスクリーンが開閉するカーテンにおいて、そのスクリーンに立体的模様を形成、維持させたカーテンは知られていない。
【０００６】
そこで、本考案は、紐の操作でスクリーンが上下に開閉するカーテンにおいて、スクリーンに立体感な模様を形成、維持した立体感を持たせて維持可能なカーテンを提供することを目的とする。
【課題を解決するための手段】
【０００７】
本考案は、上記課題を解決するために、（１）背面に列状に点在する複数のガイドを固定するとともに下部に重しを備えたスクリーンと、前記スクリーンの上端を固定した巻き取り装置と、前記ガイドに挿通するとともに一端が前記スクリーンの下部に固定され他端が前記巻き取り装置に接続され前記巻き取り装置の巻き上げ機構によって巻き上げ或いは巻き出される伸縮紐とを備え、前記スクリーンが上下に開閉するカーテンであって、前記伸縮紐に併設して、一端が前記スクリーンの下部に固定されるとともに他端が前記スクリーンの上部に固定された吊し紐と、前記伸縮紐を挿通するとともに前記ガイドの下部にあって前記ガイドを支持する位置で前記吊し紐に連設する係止部材を備え、前記係止部材が前記ガイドを引き上げることで、前記スクリーンに起伏を形成し、前記スクリーンに立体感を付与することを特徴とする立体感を持たせて維持可能なカーテンの構成とした。
【０００８】
（２）縦方向に列を形成するガイドの横方向の列のガイドの位置が、前記スクリーンの上端から同距離であることを特徴とする（１）に記載の立体感を持たせて維持可能なカーテンの構成とした。また、（３）前記ガイド及び係止部材が輪状で、前記係止部材の外径が前記ガイドの内径よりも大きいことを特徴とする（１）又は（２）に記載の立体感を持たせて維持可能なカーテンの構成とした。
【考案の効果】
【０００９】
本考案は、上記構成であるので、紐の操作でスクリーンが上下に開閉するカーテンにおいても、全閉、半開であってもスクリーンに立体的模様（起伏）を形成することができる。室内空間の新たなコーディネートを可能にする。また、本考案の起伏によって、風が常に流れている状態（波状）を表現することができるため、特にレース調のカーテンであれば、居住者に冷涼感を与えることができる。また、風が当たることで、波模様が変化し、あたかも波が動いているように見え、居住者に一層の冷涼感を与えることができる。
【図面の簡単な説明】
【００１０】
【図１】本考案である立体感を持たせて維持可能なカーテンの一例の正面模式図である。
【図２】考案である立体感を持たせて維持可能なカーテンの背面模式図である。
【図３】図２のＡ部の拡大図である。
【図４】本考案を構成する巻き取り装置の部分拡大透視斜視図である。
【考案を実施するための形態】
【００１１】
以下、添付図面に基づいて、本考案について詳細に説明する。
【実施例１】
【００１２】
図１〜４に示すように、本考案である立体感を持たせて維持可能なカーテン１は、巻き取り装置２と、スクリーン３と、吊るし紐５と、係止部材６とからなり、巻き取り装置６を回転させる操作紐２ａの上下動で、スクリーン３が上下に開閉する。
【００１３】
巻き取り装置２は、窓枠上部、窓の上部壁などに固定され、操作紐２ａの動作（上下動等）で、スクリーンを巻き上げ或いは下げ、開閉させる装置である。図５に示すように、所望の場所に固定されるカバー２ｅ内に、筒２ｃと軸２ｄを収納し、軸２ｄを操作紐２ａで回転させ、伸縮紐２ｂを筒２ｃに巻き付け、筒２ｃから巻き出す。上下にスクロールするスクリーン、上下に開閉するスクリーンに、従来から使用されているものである。
【００１４】
スクリーン３は、従来からカーテンに使用されている布、レース調の生地で、素材は限定されない。上端は巻き取り装置２に固定され、下部には重し４が備えられスクリーンのシワを伸ばす。
【００１５】
スクリーン３背面には、図２、３に示すように、従来の上下に開閉するスクリーンと同様に、列状に点在する複数のガイド３ｂが固定されている。ガイド３ｂには伸縮紐２ｂが挿通する。伸縮紐２ｂは、一端がスクリーン３の下部に固定され、他端は巻き取り装置２に接続される。伸縮紐２ｂの下部を固定する方法として、図２に示すように、スクリーン３の下部に固定された環材３ｂに伸縮紐２ｂの下端を結んでいるものを例示した。
【００１６】
伸縮紐２３ａは、巻き取り装置２の巻き上げ機構（操作紐２ａ、軸２ｄ、筒２ｃの作用）によって巻き上げ或いは巻き出される。その結果、スクリーン３が上下に開閉する。
【００１７】
吊るし紐５は、伸縮紐２ｂに併設され、一端はスクリーン３の下部に固定されるとともに他端は前記スクリーン３の上部に固定される。吊るし紐の下部は、併設する伸縮紐が固定される環材３ｂに結ぶなどして固定すればよい。
【００１８】
係止部材６は、図３に示すように、伸縮紐２ｂを挿通するとともに、ガイド３ｂの下部に位置し、吊るし紐５に紐５ａなどを介して接続される。そして、係止部材６の位置（距離Ｂ）は、スクリーン３へ固定されたガイド３ｂの固定位置（距離Ｂ）と異なる。即ち、距離Ａ＜距離Ｂの関係があり、係止部材６が、ガイド３ｂを引き上げる。その結果、スクリーン３に起伏３ａが形成される。この起伏３ａが、スクリーン３に立体感を付与することとなる。
【００１９】
ガイド３ｂ及び係止部材６を輪状にするととともに、係止部材６の外径がガイド３ｂの内径よりも大きくすることで、簡易かつ確実に係止部材でガイド３ｂを引き上げることができる。
【００２０】
本実施例では、図２に示すように、スクリーン３の背面に、縦方向に複数の列を形成するようにガイド３ｂが固定され、さらに横方向の列のガイド３ｂのスクリーン３の上端から距離が対応する横のガイド３ｂと同距離になっている。その結果、図１示すように、起伏３ａが配置される。この起伏３ａは、半開の状態でも維持される。
【００２１】
ガイド３ｂの配置は、本実施例に限定されるものではなく、即ち、横一列に配置しなくてもよい。ガイド３ｂの固定の位置を変更することにより、さまざまに起伏３ａをスクリーン３に配置することができる。また、図３に示す距離Ａと距離Ｂの差を長くすることで、起伏は大きくなり、その差を短くすることで起伏は小さくなる。
【符号の説明】
【００２２】
１      立体感を持たせて維持可能なカーテン
２      巻き取り装置
２ａ    操作紐
２ｂ    伸縮紐
２ｃ    筒
２ｄ    軸
２ｅ    カバー
３      スクリーン
３ａ    起伏
３ｂ    ガイド
３ｃ    環材
４      重し
５      吊るし紐
５ａ    紐
６      係止部材
【図１】
0003167692.tif 000003
【図２】
0003167692.tif 000004
【図３】
0003167692.tif 000005
【図４】
0003167692.tif 000006